(57)【要約】      （修正有）【課題】製品と発光素子等を一体化した無線接続式光源構造を提供する。【解決手段】編組物１と、導電体と、受信回路８と、発光素子２とを有し、編組物は、本体部１１と本体部から延在された延在部１２とを有し、本体部内に導電体が設けられ、受信回路が導電体に電気的に接続され、また、本体部内に発光素子が設けられている。発光素子は、発光部と、両導電部とを有し、発光部からの光が編組物の本体部の外に出射され、両導電部が導電体に電気的に接続され、編組物の延在部により前記製品と一体に結合され、さらに、充電装置９を製品と結合させる。【選択図】図１
0003169152.tif 000002
【実用新案登録請求の範囲】
【請求項１】
供給された電気を交流信号に変換する発射回路と、前記発射回路に接続され前記発射回路に電気を供給する電源ユニットとを備える充電装置が位置決めされた製品に適用される無線接続式光源構造であって、
本体部と、前記本体部から延在された少なくとも一つの延在部とを有する編組物と、
前記本体部内に設けられた導電体と、
二次電池を有し、前記導電体に電気的に接続された受信回路であって、前記受信回路に交流信号を前記発射回路から無線伝送するとともに前記受信回路により電気に変換され、前記二次電池により前記電気を蓄える受信回路と、
発光部と、少なくとも２つの導電部とを有し、前記発光部からの光が前記編組物の本体部の外に出射され、前記両導電部が前記導電体に電気的に接続され、前記本体部内に設けられた少なくとも一つの発光素子とを含み、
前記編組物の延在部により前記製品と一体に結合されていることを特徴とする電池付無線接続式光源構造。
【請求項２】
前記延在部は、ミシン縫い、溶接、接着及び編成のうちいずれか一つの方式で前記製品と一体に結合されていることを特徴とする請求項１に記載の無線接続式光源構造。
【請求項３】
前記導電体は、可撓性プリント基板であり、前記発光素子の両導電部は、前記可撓性プリント基板に電気的に接続された２つの導電ピンであることを特徴とする請求項１に記載の無線接続式光源構造。
【請求項４】
前記導電体は、少なくとも２本の導線であり、前記発光素子の両導電部が前記２本の導線にそれぞれ電気的に接続されていることを特徴とする請求項１に記載の無線接続式光源構造。
【請求項５】
制御回路とスイッチとをさらに有し、前記制御回路と前記スイッチと前記受信回路とが前記導電体に電気的に直列接続され、前記制御回路は、前記発光素子の発光方式を制御することを特徴とする請求項１に記載の無線接続式光源構造。
【請求項６】
外部接続部材と、コネクタと、スイッチとをさらに含み、前記コネクタとスイッチとが前記導電体に電気的に直列接続され、前記外部接続部材は、受信回路と発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１に記載の無線接続式光源構造。
【請求項７】
前記編組物は、前記本体部から夫々延在された一対の延在部を有し、前記無線接続式光源構造は、該編組物の前記一対の延在部により前記製品と一体に結合されていることを特徴とする請求項１に記載の無線接続式光源構造。
【請求項８】
前記導電体は、少なくとも２本の導線であり、前記発光素子の両導電部が前記２本の導線にそれぞれ電気的に接続されていることを特徴とする請求項７に記載の無線接続式光源構造。
【請求項９】
前記２本の導線が前記編組物の本体部と一体に編成されていることを特徴とする請求項８に記載の無線接続式光源構造。
【請求項１０】
制御回路とスイッチとをさらに有し、前記制御回路と前記スイッチと前記受信回路とが前記導電体に電気的に直列接続され、前記制御回路は、前記発光素子の発光方式を制御することを特徴とする請求項７に記載の無線接続式光源構造。
【請求項１１】
外部接続部材と、コネクタと、スイッチとをさらに含み、前記コネクタとスイッチとが前記導電体に電気的に直列接続され、前記外部接続部材は、前記受信回路と、前記発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項７に記載の無線接続式光源構造。
【請求項１２】
前記編組物の本体部は、互いに接続された両半割体からなり、前記延在部が前記両半割体のうちいずれか一つから延在し、前記両半割体のうちもう一つは結合縁部を有し、前記結合縁部が前記延在部にミシン縫い及び溶着方法のうちいずれか一つで結合されていることを特徴とする請求項１に記載の無線接続式光源構造。
【請求項１３】
前記発光素子は、発光ダイオードまたは有機発光ダイオードのうちいずれか一つであることを特徴とする請求項１に記載の無線接続式光源構造。
【請求項１４】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１に記載の無線充電可能な耐張式発熱構造。
【請求項１５】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１に記載の無線充電可能な耐張式発熱構造。
【請求項１６】
供給された電気を交流信号に変換する発射回路と、前記発射回路に接続され前記発射回路に電気を供給する電源ユニットとを備える充電装置が位置決めされた製品に適用される無線接続式光源構造であって、
本体部と、前記本体部から延在された延在部とを有する編組物と、
前記編組物の本体部に溶着して一体に結合された可撓性プリント基板と、
二次電池を有し、前記可撓性プリント基板に電気的に接続された受信回路であって、前記受信回路に交流信号を前記発射回路により無線伝送するとともに前記受信回路により電気に変換され、前記二次電池により前記電気を蓄える受信回路と、
発光部と、前記可撓性プリント基板に電気的に接続された少なくとも２つの導電部とを有する少なくとも一つの発光素子とを含み、
前記編組物の延在部により前記製品と一体に結合されていることを特徴とする電池付無線接続式光源構造。
【請求項１７】
制御回路とスイッチとをさらに有し、前記制御回路と前記スイッチと前記受信回路とが前記可撓性プリント基板に電気的に直列接続され、前記制御回路は、前記発光素子の発光方式を制御することを特徴とする請求項１６に記載の無線接続式光源構造。
【請求項１８】
外部接続部材と、コネクタと、スイッチとをさらに含み、前記コネクタとスイッチとが前記可撓性プリント基板に電気的に直列接続され、前記外部接続部材は、受信回路と発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１６に記載の無線接続式光源構造。
【請求項１９】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１６に記載の無線充電可能な耐張式発熱構造。
【請求項２０】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１１に記載の無線充電可能な耐張式発熱構造。
【考案の詳細な説明】
【技術分野】
【０００１】
本考案は、無線接続式光源構造(無線接続式発光装置)に関し、特に、無線充電可能で、例えば、布製品又は革製品などの製品に編成、溶接、接着又はミシン縫いをして構成され発光可能となる無線接続式光源構造に関する。
【背景技術】
【０００２】
衣服や、ズボン、スカート、肌着、様々なブランドバッグ（又は鞄）、革製バッグ、ベルト（ウェストベルト）、レインコート、帽子、又はジャケットなどの製品に、例えば、発光ダイオード（LED）などの発光素子を付加しようとする場合があるが、従来は、夜間に雰囲気や趣味又は美観の効果を増やすために、ジャケット及び帽子に発光素子を設けて発光させるものしか見られない。
【０００３】
さらに、これらの製品は、ミシン縫いや、溶着（例えば、高周波）、又は熱熔着などの接合技術を用いて、複数種類の布（異なる材質、色及び形状）などで組み合いすることができる。しかしながら、これらの製品に発光素子を結合させるのは、実際的に極めて困難であるので、従来の技術では、発光素子を透明防水布で覆う方法を採っているが、実質的に、従来の方法では、これらの製品の編組物内に発光素子が結合されておらず、使用上及び造形上の両方としていずれも局限されることになってしまう。
【０００４】
また、該発光素子が使用するときに必要とする電気は、ニッケル水素電池やリチウム電池などの二次電池の利用が大半占められ、二次電池は、主に、充電装置により充電を行い、充電装置がコンセントとケーブルで接続され、充電のために必要とする電気を有線接続によって二次電池に伝達する必要があるので、使用範囲が限られ、使用の利便性が低下することになる。
【考案の開示】
【考案が解決しようとする課題】
【０００５】
そのため、例えば、衣服や、ズボン、スカート、肌着、様々なブランドバッグ（又は鞄）、革製バッグ、ベルト（ウェストベルト）、レインコート、帽子、又はジャケットなどの製品に直接的にミシン縫い又は編成可能となる技術を、どうすれば設計できるかが、本考案の解決しようとする課題である。
【０００６】
本考案の主な目的は、無線充電が可能で、これらの製品と発光素子等をミシンによる縫製、溶接、接着、又は編成等により一体化した無線接続式光源構造を提供することにある。
【課題を解決するための手段】
【０００７】
前記目的を達成するため、本考案による無線接続式光源構造は、供給された電気を交流信号に変換する発射回路と、前記発射回路に接続され前記発射回路に電気を供給する電源ユニットとを備える充電装置が位置決めされた製品に適用される無線接続式光源構造であって、編組物と、導電体と、受信回路と、少なくとも一つの発光素子とを含む。ここで、編組物は、本体部と、前記本体部から延在された少なくとも一つの延在部とを有し、前記導電体が前記本体部内に設けられ、前記受信回路は、二次電池を有し、前記導電体に電気的に接続され、前記受信回路に交流信号を前記発射回路により無線伝送するとともに前記受信回路により電気に変換され、前記二次電池により前記電気を蓄えられ、前記発光素子が前記本体部内に設けられ、発光部と、少なくとも２つの導電部とを有し、前記発光部からの光が前記編組物の本体部の外に出射され、前記両導電部が前記導電体に電気的に接続され、前記無線接続式光源構造は、その編組物の延在部により前記製品と一体に結合されている。
【０００８】
よって、本考案の無線接続式光源構造の延在部のみで前記製品と一体に直接的にミシン縫い、熔着、接着又は編成可能となるので、従来の欠点を完全に克服できる。
【０００９】
本考案による無線接続式光源構造は、さらに、制御回路とスイッチとを含み、前記制御回路、前記スイッチ及び前記受信回路の二次電池が前記導電体に電気的に直列接続され、前記二次電池により前記発光素子に電気を供給して発光させ、前記制御回路は、前記発光素子の発光方式を制御する。
【考案の効果】
【００１０】
本考案は、無線充電が可能で、これらの製品と発光素子等をミシンによる縫製、溶接、接着、又は編成等により一体化した無線接続式光源構造を提供することができる。
【図面の簡単な説明】
【００１１】
【図１】図１は、本考案による無線接続式光源構造の斜視図である。
【図２】図２は、本考案の第１実施例を示される図１のＡ−Ａ線の断面図である。
【図３】図３は、本考案の第２実施例を示される図１のＡ−Ａ線の断面図である。
【図４】図４は、本考案の第３実施例を示される図１のＡ−Ａ線の断面図である。
【図４Ａ】図４Ａは、本考案の第３実施例における導電体及び発光素子を示す図（図に本体部が省略され）である。
【図５】図５は、本考案の第４実施例を示される図１のＡ−Ａ線の断面図である。
【図６】図６は、本考案の第５実施例を示される図１のＡ−Ａ線の断面図である。
【図７】図７は、本考案の第６実施例を示されるコネクタによる電池と制御回路との外接構造を示す図である。
【図８Ａ】は、本考案の回路ブロック図である。
【図８Ｂ】は、本考案の回路ブロック図である。
【考案を実施するための形態】
【００１２】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【００１３】
本考案は、無線接続式光源構造を提供する。図１は、本考案の斜視図であり、図２〜図８Ｂは、本考案の第１〜第６実施例をそれぞれ示されている。
本考案による無線接続式光源構造は、図示されない既述した製品に適用される。充電装置９が該製品に位置決めされる（例えば、クリップ、結束、接着又は互いに吸着など）。充電装置９は、発射回路９１と、発射回路９１に接続された電源ユニット９２とを有し、電源ユニット９２が発射回路９１に電気を供給し、且つ、該電気が発射回路９１により交流信号に変換される。
前記製品は、衣服や、ズボン、スカート、肌着、様々なブランドバッグ（又は鞄）、革製バッグ、ベルト（ウェストベルト）、レインコート、帽子、又はジャケットなどであるが、これらに限られない。
【００１４】
＜第１実施例＞
図１、図２及び図８Ａ、図８Ｂに示すように、本考案の第１実施例は、編組物１と、少なくとも一つの発光素子２と、導電体３と、受信回路８とを含む。ここでは、複数の発光素子２が図示される。発光素子２は、発光ダイオード（LED）又は有機発光ダイオード（Organic Light-Emitting Diode;以下にOLEDと略称し）である。
【００１５】
例えば、布地、綿地または編地などである編組物１は、本体部１１と、本体部１１から延在された少なくとも一つの延在部１２とを有する。ここで図示されたのは、編組物１が一つの延在部１２を有する。これらの発光素子２及び導電体３が本体部１１内に設けられ、編組物１が編成されるときに、これらの発光素子２及び導電体３を本体部１１内に一緒に編成しても良いことはもちろんである。
【００１６】
各発光素子２は、発光部２１と、少なくとも２つの導電部２２とを有し、発光部２１からの光が編組物１の本体部１１の外に出射され、両導電部２２が導電体３に電気的に接続される。ここで図示されたのは、第１実施例の両導電部２２が２つの導電ピンである。導電体３は、可撓性プリント基板である。よって、導電体３に電力を供給すると、発光素子２の全てが発光できるとなっている。
【００１７】
また、受信回路８に交流信号を発射回路９１により無線伝送するため、受信回路８が導電体３に電気的に接続される。受信回路８は、受信誘導コイル８１と、受信誘導コイル８１に接続する二次受信共振回路８２と、二次受信共振回路８２に接続するAＣ/DＣ整流平滑定電圧回路８３と、AＣ/DＣ整流平滑定電圧回路８３に接続する二次電池８４とを含む。二次電池８４は、内蔵式二次電池又は外接型二次電池の何れかであれば良い、受信誘導コイル８１により発射回路９１からの交流信号を受信して、該交流信号が二次受信共振回路８２を介して同調されるとともに、該交流信号がAＣ/DＣ整流平滑定電圧回路８３により整流、定圧され、該交流信号を電気に変換させ、さらに、二次電池８４により電気を蓄えて各発光素子２に電気を供給する。
【００１８】
発射回路９１と電源ユニット９２とは、有線接続か無線接続の何れかであれば良い。発射回路９１は、電源ユニット９２に接続する振動分周回路９１１と、振動分周回路９１１に接続する駆動増幅回路９１２と、駆動増幅回路９１２に接続する一次発射共振回路９１３と、一次発射共振回路９１３に接続する発射コイル９１４とを含み、振動分周回路９１１により電源ユニット９２からの電気を交流信号に変換し、該交流信号が駆動増幅回路９１２により増幅された後に、増幅された交流信号が一次発射共振回路９１３により同調され、さらに、発射コイル９１４から受信回路８に伝送する。発射回路９１は、さらに、発射コイル９１４に接続するフィードバック検知回路９１５と、フィードバック検知回路９１５及び振動分周回路９１１に接続する制御調節回路９１６とを含み、フィードバック検知回路９１５により発射コイル９１４からの交流信号を制御調節回路９１６にフィードバックして、振動分周回路９１１の振動頻度を制御調節回路９１６により調節し、最適な同調品質を取得する。
図に示すように、第１実施例の編組物１では、発光素子２からの光を出射する方法として、（一）本体部１１に複数の孔１１０が設けられ、発光素子２の発光部２１が孔１１０を介して本体部１１の外に露出されることと、（二）異なる密度の編成方法（図示せず）で編組物１を編成して、本体部１１の編組密度を緩くし、このように、発光素子２からの光が本体部１１の編み目から射出できることとの２つの方法がある。
【００１９】
前記製品上に本考案の無線接続式光源構造をミシン縫い、溶接、接着又は編成しようとする場合には、本考案による無線接続式光源構造の編組物１の延在部１２のみで、前記製品と一体に直接的にミシン縫い、溶接、接着又は編成可能となるので、従来の欠点が完全に克服された。
【００２０】
さらに、充電装置９と受信回路８とが互いに位置決めされることにより（図に示すように、充電装置９と受信回路８とがクリップで位置決めされ）、電源ユニット９２で発射回路９１に電気を供給し、さらに、発射回路９１により電気を交流信号に変換するとともに、発射回路９１の発射コイル９１４を介して受信回路８に交流信号を伝送して、受信回路８による充電を行い、二次電池８４により電気を蓄えて発光素子２に電気を供給し、その使用の利便性を向上させる。
【００２１】
また、本考案による無線接続式光源構造は、さらに、制御回路６とスイッチ６１とを含み、制御回路６とスイッチ６１とがいずれも導電体３に電気的に接続され、制御回路６とスイッチ６１とがいずれも編組物１内に編成されている。ここで、制御回路６は、発光素子２の発光方式（例えば、正常発光、点滅或いは異なる輝度など）を制御する。よって、本考案による無線接続式光源構造は、二次電池８４により発光素子２に電気を供給して発光させ、また、スイッチ６１により発光素子２の点灯や滅灯を制御し、さらに、制御回路６により発光素子２の発光方式を制御できる。
＜第２実施例＞
【００２２】
図３に示すように、本考案の第２実施例による無線接続式光源構造は、第１実施例と同じであり、編組物１の点のみで異なっている。
【００２３】
図に示すように、編組物１の本体部１１（図１を参照）は、互いに接続された両半割体１１１、１１２からなり、前記延在部１２が両半割体１１１、１１２のうちいずれか一つ（半割体１１２が図に示され）から延在し、両半割体１１１、１１２のうちもう一つ（半割体１１１が図に示され）は結合縁部１１３を有し、結合縁部１１３が延在部１２にミシン縫い又は溶着（例えば、高周波又は熱熔着など）の方法で結合されている。
＜第３実施例＞
【００２４】
図１、図４に示すように、本考案の第３実施例による無線接続式光源構造は、第１実施例と同じであり、発光素子２と導電体４の点のみで異なっている。
【００２５】
図に示すように、前記導電体４は、少なくとも２本の導線４０（例えば、２本の給電用の導線と１本制御用の導線などであり、ここで、２本の給電用の導線が図示され）であり、発光素子２の両導電部２２が２本の導線４０にそれぞれ電気的に接続され、制御回路６とスイッチ６１とがいずれも導電体３に電気的に接続されている。
【００２６】
２本の導線４０が編組物１の本体部１１と一体に編成しても良い、図４Ａに示すように、２本の導線４０が夫々間隔を置いて交互に本体部１１と一体に編成され（図示せず、図４Ａに本体部１１を略して示さず）、且つ、２本の導線４０の重ね部４２の間に本体部１１が介在され（図４Ａに本体部１１を略して示さず）、発光素子２は、パッド４１を介して導線４０に電気的に接続されている。
＜第４実施例＞
【００２７】
図５に示すように、本考案の第４実施例による無線接続式光源構造は、第３実施例と同じであり、編組物１の点のみで異なっている。
【００２８】
図に示すように、編組物１は、一対の延在部１２、１３を有し、一対の延在部１２、１３は、いずれも本体部１１から延在され、本考案による無線接続式光源構造は、編組物１の一対の延在部１２、１３により前記製品と一体にミシン縫い、溶接、接着又は編成されている。
＜第５実施例＞
【００２９】
図６に示すように、本考案の第５実施例において、発光素子２の点のみで第１実施例と同じであり、その以外が異なっている。
【００３０】
図に示すように、本考案による無線接続式光源構造は、編組物１Ａと、少なくとも一つの発光素子２と、可撓性プリント基板３Ａと、カバー５とを含む。
【００３１】
編組物１Ａは、本体部１１Ａと、本体部１１Ａから延在された延在部１２Ａとを有し、可撓性プリント基板３Ａが編組物１Ａの本体部１１Ａに溶着して結合され、少なくとも一つの発光素子２（ここで、複数の発光素子２が図示され）は、発光部２１と、少なくとも２つの導電部２２（ここで、２つの導電ピンが図示され）とを有し、両導電部２２が可撓性プリント基板３Ａに電気的に接続され、各発光素子２がカバー５と可撓性プリント基板３Ａとの間に覆われて保護され、受信回路８が可撓性プリント基板３Ａに電気的に接続され、発射回路９１（図１示すように）が受信回路８に交流信号を無線伝送するとともに受信回路８により電気に変換され、さらに、受信回路８の二次電池８４で電気を蓄える。
【００３２】
また、本考案による無線接続式光源構造は、さらに、制御回路６とスイッチ６１とを付加しており、制御回路６とスイッチ６１とがいずれも可撓性プリント基板３Ａに電気的に接続され、制御回路６とスイッチ６１とがいずれも編組物１Ａ内に編成されている。
【００３３】
本考案による無線接続式光源構造は、編組物１Ａの延在部１２Ａのみで、前記製品と一体にミシン縫い又は編成可能となるので、従来の欠点が完全に克服された。
＜第６実施例＞
【００３４】
図７に示すように、本実施例は、第１実施例と同じであり、制御回路６及び受信回路8の点のみで異なっている。図に示すように、上記と変わって制御回路６及び受信回路8に外接方式で電気的に接続されている。すなわち、本考案による無線接続式光源構造は、さらに、外部接続部材７と、コネクタ７１とを含み、コネクタ７１とスイッチ６１とが導線により導電体３、４又は可撓性プリント基板３Ａ（図６に示すように）に電気的に直列接続されることで、コネクタ７１とスイッチ６１とが前記導線により編組物１、１Ａ（図６に示すように）の外に引き出され、さらに、該引き出された部分が製品の適当な場所（例えば、衣服の内面など）に位置決め（例えば、ミシン縫い）される。外部接続部材７は、受信回路８と、発光素子２の発光方式を制御する制御回路６とを有し、前記発光方式は、正常発光、点滅或いは異なる輝度などを含み、外部接続部材７にはコネクタ７１に対応する対応コネクタ７２がさらに接続され、外部接続部材７は、対応コネクタ７２によりコネクタ７１に突き合せて導電体３、４又は可撓性プリント基板３Ａ（図６に示すように）に電気的に接続されている。
【００３５】
よって、スイッチ６１により点灯や滅灯を制御できる外、さらに、外部接続部材７が外接されているか否かに基づいて、制御回路６及び受信回路８を使用するか否かを選択できる。
【００３６】
本考案による無線接続式光源構造は、発光素子２と導電体３、４とが編組物１の本体部１１内に設置又は編成される。編組物１が延在部１２、１３を有する。本考案による無線接続式光源構造の延在部１２、１３のみで、前記製品と一体に直接的にミシン縫い、溶接、接着又は編成可能となるので、従来の欠点が完全に克服されたことを特徴とする。前記延在部１２、１３により、これらの製品が作成のときにその本来の方法で両者の結合を行うことができるので、前記製品の本来の造形を保持できる外、発光素子の特色も向上される。さらに、編組物１に受信回路８が設けられ、充電装置９１の発射回路９１により受信回路８に交流信号を無線伝送するとともに受信回路８により電気に変換され、さらに、受信回路８の二次電池８４で電気を蓄えて発光素子２に電気を供給して発光させることができる。また、スイッチ６１により発光素子２の点灯や滅灯を制御し、制御回路６により発光素子２の発光方式を制御し、外部接続部材７により電池６１及び制御回路６を使用するか否かを自由に選択できる。前記延在部１２、１３は、絶縁液に浸漬することで絶縁の効果を持たせることができる。さらに、受信回路８の二次電池８４は、最も新しく研究開発されたシート状の可撓性電池であり、人が着用する製品により適用されることになる。また、編成のときに編機で発光素子を編組物内に一体に編成し、使用しようとするときに、必要の長さに応じてカットすればよい、続いて、さらにスイッチ、受信回路及び制御回路などに結合し、全体が様々な要求、規格に応じて作成できるようになる。或いは、現有の布や編みもので発光素子を覆い、次に、発光素子の発光部を露出させるように、押し抜きや穴開けなどの方法で前記孔を開設することができる。
【００３７】
以上のように単に本考案の好ましい実施例に過ぎず、本考案の実用新案登録請求の範囲を限定するものではなく、いずれの当該分野における通常の知識を有する者が、本考案の分野の中で、適当に変更や修飾などを実施できるが、これらの実施が本考案の範囲に含まれるべきことは言うまでもないことである。
【符号の説明】
【００３８】
１・・・・・・編組物
１Ａ・・・・・編組物
２・・・・・・発光素子
３、４・・・・導電体
３Ａ・・・・・可撓性プリント基板
５・・・・・・カバー
６・・・・・・制御回路
７・・・・・・外部接続部材
８・・・・・・受信回路
９・・・・・・充電装置
１１・・・・・本体部
１１Ａ・・・・本体部
１２Ａ・・・・延在部
１２、１３・・延在部
１４・・・・・防水層
２１・・・・・発光部
２２・・・・・導電部
４０・・・・・導線
４１・・・・・パッド
４２・・・・・重ね部
６１・・・・・スイッチ
７１・・・・・コネクタ
７２・・・・・対応コネクタ
８１・・・・・受信誘導コイル
８２・・・・・二次受信共振回路
８３・・・・・AＣ/DＣ整流平滑定電圧回路
８４・・・・・二次電池
９１・・・・・発射回路
９２・・・・・電源ユニット
１１０・・・・孔
１１１、１１２・・・半割体
１１３・・・・結合縁部
９１１・・・・振動分周回路
９１２・・・・駆動増幅回路
９１３・・・・一次発射共振回路
９１４・・・・発射コイル
９１５・・・・フィードバック検知回路
９１６・・・・制御調節回路
【図１】
0003169152.tif 000003
【図２】
0003169152.tif 000004
【図３】
0003169152.tif 000005
【図４】
0003169152.tif 000006
【図４Ａ】
0003169152.tif 000007
【図５】
0003169152.tif 000008
【図６】
0003169152.tif 000009
【図７】
0003169152.tif 000010
【図８Ａ】
0003169152.tif 000011
【図８Ｂ】
0003169152.tif 000012
【手続補正書】
【提出日】平成23年5月18日(2011.5.18)
【手続補正１】
【補正対象書類名】実用新案登録請求の範囲
【補正対象項目名】全文
【補正方法】変更
【補正の内容】
【実用新案登録請求の範囲】
【請求項１】
供給された電気を交流信号に変換する発射回路と、前記発射回路に接続され前記発射回路に電気を供給する電源ユニットとを備える充電装置が位置決めされた被装着物に適用される無線接続式光源構造であって、
本体部と、前記本体部から延在された少なくとも一つの延在部とを有する編組物と、
前記本体部内に設けられた導電体と、
二次電池を有し、前記導電体に電気的に接続された受信回路であって、前記受信回路に交流信号を前記発射回路から無線伝送するとともに前記受信回路により電気に変換され、前記二次電池により前記電気を蓄える受信回路と、
発光部と、少なくとも２つの導電部とを有し、前記発光部からの光が前記編組物の本体部の外に出射され、前記両導電部が前記導電体に電気的に接続され、前記本体部内に設けられた少なくとも一つの発光素子とを含み、
前記編組物の延在部により前記被装着物と一体に結合されていることを特徴とする無線接続式光源構造。
【請求項２】
前記延在部は、ミシン縫い、溶接、接着及び編成のうちいずれか一つの方式で前記被装着物と一体に結合されていることを特徴とする請求項１に記載の無線接続式光源構造。
【請求項３】
前記導電体は、可撓性プリント基板であり、前記発光素子の両導電部は、前記可撓性プリント基板に電気的に接続された２つの導電ピンであることを特徴とする請求項１に記載の無線接続式光源構造。
【請求項４】
前記導電体は、少なくとも２本の導線であり、前記発光素子の両導電部が前記２本の導線にそれぞれ電気的に接続されていることを特徴とする請求項１に記載の無線接続式光源構造。
【請求項５】
制御回路とスイッチとをさらに有し、前記制御回路と前記スイッチと前記受信回路とが前記導電体に電気的に直列接続され、前記制御回路は、前記発光素子の発光方式を制御することを特徴とする請求項１に記載の無線接続式光源構造。
【請求項６】
外部接続部材と、コネクタと、スイッチとをさらに含み、前記コネクタとスイッチとが前記導電体に電気的に直列接続され、前記外部接続部材は、受信回路と発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１に記載の無線接続式光源構造。
【請求項７】
前記編組物は、前記本体部から夫々延在された一対の延在部を有し、前記無線接続式光源構造は、該編組物の前記一対の延在部により前記被装着物と一体に結合されていることを特徴とする請求項１に記載の無線接続式光源構造。
【請求項８】
前記導電体は、少なくとも２本の導線であり、前記発光素子の両導電部が前記２本の導線にそれぞれ電気的に接続されていることを特徴とする請求項７に記載の無線接続式光源構造。
【請求項９】
前記２本の導線が前記編組物の本体部と一体に編成されていることを特徴とする請求項８に記載の無線接続式光源構造。
【請求項１０】
制御回路とスイッチとをさらに有し、前記制御回路と前記スイッチと前記受信回路とが前記導電体に電気的に直列接続され、前記制御回路は、前記発光素子の発光方式を制御することを特徴とする請求項７に記載の無線接続式光源構造。
【請求項１１】
外部接続部材と、コネクタと、スイッチとをさらに含み、前記コネクタとスイッチとが前記導電体に電気的に直列接続され、前記外部接続部材は、前記受信回路と、前記発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項７に記載の無線接続式光源構造。
【請求項１２】
前記編組物の本体部は、互いに接続された両半割体からなり、前記延在部が前記両半割体のうちいずれか一つから延在し、前記両半割体のうちもう一つは結合縁部を有し、前記結合縁部が前記延在部にミシン縫い及び溶着方法のうちいずれか一つで結合されていることを特徴とする請求項１に記載の無線接続式光源構造。
【請求項１３】
前記発光素子は、発光ダイオードまたは有機発光ダイオードのうちいずれか一つであることを特徴とする請求項１に記載の無線接続式光源構造。
【請求項１４】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１に記載の無線接続式光源構造。
【請求項１５】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１に記載の無線接続式光源構造。
【請求項１６】
供給された電気を交流信号に変換する発射回路と、前記発射回路に接続され前記発射回路に電気を供給する電源ユニットとを備える充電装置が位置決めされた被装着物に適用される無線接続式光源構造であって、
本体部と、前記本体部から延在された延在部とを有する編組物と、
前記編組物の本体部に溶着して一体に結合された可撓性プリント基板と、
二次電池を有し、前記可撓性プリント基板に電気的に接続された受信回路であって、前記受信回路に交流信号を前記発射回路により無線伝送するとともに前記受信回路により電気に変換され、前記二次電池により前記電気を蓄える受信回路と、
発光部と、前記可撓性プリント基板に電気的に接続された少なくとも２つの導電部とを有する少なくとも一つの発光素子とを含み、
前記編組物の延在部により前記被装着物と一体に結合されていることを特徴とする無線接続式光源構造。
【請求項１７】
制御回路とスイッチとをさらに有し、前記制御回路と前記スイッチと前記受信回路とが前記可撓性プリント基板に電気的に直列接続され、前記制御回路は、前記発光素子の発光方式を制御することを特徴とする請求項１６に記載の無線接続式光源構造。
【請求項１８】
外部接続部材と、コネクタと、スイッチとをさらに含み、前記コネクタとスイッチとが前記可撓性プリント基板に電気的に直列接続され、前記外部接続部材は、受信回路と発光素子の発光方式を制御する制御回路とを有し、前記外部接続部材は、前記コネクタに対応する対応コネクタをさらに有し、前記外部接続部材は、前記対応コネクタにより前記コネクタに突き合せて電気的に導通されていることを特徴とする請求項１６に記載の無線接続式光源構造。
【請求項１９】
前記発射回路は、前記電源ユニットに接続する振動分周回路と、前記振動分周回路に接続する駆動増幅回路と、前記駆動増幅回路に接続する一次発射共振回路と、前記一次発射共振回路に接続する発射コイルとを含み、前記振動分周回路により前記電源ユニットからの電気を交流信号に変換し、前記振動分周回路により変換された該交流信号が前記駆動増幅回路により増幅された後に、前記駆動増幅回路により増幅された交流信号が前記一次発射共振回路により同調され、さらに、前記一次発射共振回路により同調された交流信号を前記発射コイルで前記受信回路に発送することを特徴とする請求項１６に記載の無線接続式光源構造。
【請求項２０】
前記受信回路は、受信誘導コイルと、前記受信誘導コイルに接続する二次受信共振回路と、前記二次受信共振回路に接続するAＣ/DＣ整流平滑定電圧回路と、前記AＣ/DＣ整流平滑定電圧回路に接続する二次電池とを含み、前記受信誘導コイルにより前記発射回路からの交流信号を受信して、前記受信誘導コイルにより受信した該交流信号が前記二次受信共振回路により同調され、前記二次受信共振回路により同調された該交流信号が前記AＣ/DＣ整流平滑定電圧回路により整流、定圧されるとともに、該交流信号を電気に変換し、前記AＣ/DＣ整流平滑定電圧回路により変換された電気を前記二次電池により蓄えることを特徴とする請求項１１に記載の無線接続式光源構造。
【手続補正２】
【補正対象書類名】明細書
【補正対象項目名】０００１
【補正方法】変更
【補正の内容】
【０００１】
本考案は、無線接続式光源構造(無線接続式発光装置)に関し、特に、無線充電可能で、例えば、布製品又は革製品などの製品(被装着物)に編成、溶接、接着又はミシン縫いをして構成され発光可能となる無線接続式光源構造に関する。
【手続補正３】
【補正対象書類名】明細書
【補正対象項目名】０００７
【補正方法】変更
【補正の内容】
【０００７】
前記目的を達成するため、本考案による無線接続式光源構造は、供給された電気を交流信号に変換する発射回路と、前記発射回路に接続され前記発射回路に電気を供給する電源ユニットとを備える充電装置が位置決めされた被装着物に適用される無線接続式光源構造であって、編組物と、導電体と、受信回路と、少なくとも一つの発光素子とを含む。ここで、編組物は、本体部と、前記本体部から延在された少なくとも一つの延在部とを有し、前記導電体が前記本体部内に設けられ、前記受信回路は、二次電池を有し、前記導電体に電気的に接続され、前記受信回路に交流信号を前記発射回路により無線伝送するとともに前記受信回路により電気に変換され、前記二次電池により前記電気を蓄えられ、前記発光素子が前記本体部内に設けられ、発光部と、少なくとも２つの導電部とを有し、前記発光部からの光が前記編組物の本体部の外に出射され、前記両導電部が前記導電体に電気的に接続され、前記無線接続式光源構造は、その編組物の延在部により前記被装着物と一体に結合されている。
【手続補正４】
【補正対象書類名】明細書
【補正対象項目名】０００８
【補正方法】変更
【補正の内容】
【０００８】
よって、本考案の無線接続式光源構造の延在部のみで前記被装着物と一体に直接的にミシン縫い、熔着、接着又は編成可能となるので、従来の欠点を完全に克服できる。
【手続補正５】
【補正対象書類名】明細書
【補正対象項目名】００１０
【補正方法】変更
【補正の内容】
【００１０】
本考案は、無線充電が可能で、これらの被装着物と発光素子等をミシンによる縫製、溶接、接着、又は編成等により一体化した無線接続式光源構造を提供することができる。